(57)【要約】【課題】多くのセンサーや計測器が搭載されても、太陽電池の発電による充電も含む二次電池の電池切れを減少させることが可能な携帯型電子機器を提供する。【解決手段】体動センサーおよび生体センサーを有する測定部と、ユーザーが実施する予定の運動情報を取得し、前記測定部を制御するプロセッサーと、二次電池と、前記二次電池に電力を供給する太陽電池と、を備え、前記プロセッサーは、前記太陽電池の発電量を予測し、前記運動情報に基づいた前記測定部との電力消費量を算出し、前記二次電池の電池残量、前記発電量、および前記電力消費量に基づいて、前記測定部の動作モードを決定する携帯型電子機器。【選択図】図４
2019150342.tif 000002
【特許請求の範囲】
【請求項１】
ユーザーの体動を測定する体動センサー、および前記ユーザーの生体情報を測定する生体センサーを含む複数のセンサーを有する測定部と、
前記ユーザーが実施する予定の運動情報を取得し、前記測定部による測定を制御するプロセッサーと、
前記測定部、および前記プロセッサーに電力を供給する二次電池と、
前記二次電池に電力を供給する太陽電池と、を備え、
前記プロセッサーは、前記運動情報に基づいて、前記太陽電池の発電量の予測、および前記測定部の電力消費量の算出を行い、前記二次電池の電池残量、前記発電量、および前記電力消費量に基づいて、前記測定部の動作モードを選択することを特徴とする携帯型電子機器。
【請求項２】
前記プロセッサーは、
運動開始前、または運動開始後の所定間隔で前記動作モードを決定することを特徴とする請求項１に記載の携帯型電子機器。
【請求項３】
前記動作モードは、前記測定部が第１の頻度で測定する第１モードと、前記第１の頻度よりも低い第２の頻度で、あるいは前記第１モードよりも少ないセンサー数で測定する第２モードと、を含み、
前記プロセッサーは、
前記二次電池の電池残量に予測した前記発電量を加えた電池供給量が、前記運動情報に基づいて算出された前記電力消費量よりも小さい場合、前記測定部の前記動作モードを前記第２モードにすることを特徴とする請求項１または請求項２に記載の携帯型電子機器。
【請求項４】
前記プロセッサーは、
前記二次電池の電池残量に予測した前記発電量を加えた電池供給量が、前記運動情報に基づいて算出された前記電力消費量よりも大きい場合、前記第２モードから前記第１モードに切り替え制御することを特徴とする請求項３に記載の携帯型電子機器。
【請求項５】
前記体動センサーは、測位衛星信号受信器、気圧センサー、方位センサー、および加速度センサーを含み、
前記生体センサーは、脈センサーを含み、
前記プロセッサーは、前記動作モードにおいて、前記気圧センサーおよび前記方位センサー、前記測位衛星信号受信器、前記脈センサー、前記加速度センサーの順に動作を制御することを特徴とする請求項４に記載の携帯型電子機器。
【請求項６】
複数のセンサーを有する測定部と、プロセッサーと、それらに電力を供給する二次電池と、前記二次電池に電力を供給する太陽電池と、を備えた携帯型電子機器の制御方法であって、
前記ユーザーが実施する予定の運動情報を取得する工程と、
前記運動情報に基づいて、前記測定部の電力消費量を算出する工程と、
前記二次電池の残量を取得する工程と、
前記運動情報に基づいて前記太陽電池の発電量を予測する工程と、
前記発電量、前記二次電池の残量、および前記電力消費量に基づいて、前記測定部の動作モードを選択する工程と、
を含むことを特徴とする携帯型電子機器の制御方法。
【請求項７】
前記動作モードを選択する工程は、
運動開始前、または運動開始後に設けられることを特徴とする請求項６に記載の携帯型電子機器の制御方法。
【請求項８】
前記動作モードは、前記測定部が第１の頻度で測定する第１モードと、前記第１の頻度よりも低い第２の頻度で、あるいは前記第１モードよりも少ないセンサー数で測定する第２モードと、を含み、
前記二次電池の電池残量に予測した前記発電量を加えた電池供給量が、前記運動情報に基づいて算出された前記電力消費量よりも小さい場合、前記測定部の前記動作モードを前記第２モードにする工程を、含むことを特徴とする請求項６または請求項７に記載の携帯型電子機器の制御方法。
【発明の詳細な説明】
【技術分野】
【０００１】
本発明は、携帯型電子機器、および携帯型電子機器の制御方法に関する。
【背景技術】
【０００２】
近年、ランニングやサイクリング等のスポーツ活動において、ユーザーの位置、速度や脈拍数を計測する携帯型電子機器が実用化されている。このような携帯型電子機器を用いることによって、ユーザーは、スポーツ活動中に自らの走行速度や走行距離等のパフォーマンス情報を把握することができ、例えばマラソンやジョギング等におけるレース中の走行ペースや運動の負荷を管理する際に有効に活用することができる。
【０００３】
このような携帯型電子機器（ウェアラブル機器）は、備えられた電池もしくは蓄電池によって駆動され、計測を長時間継続するために省電力化が望まれる。低消費電力化の一つの手法として、例えば特許文献１には、二次電池と、二次電池を充電する太陽電池と、近距離にある他の電子機器と無線通信する近距離無線通信部と、高度を計測する高度計測部と、他の電子機器と通信するときにのみ二次電池から近距離無線通信部に電力を供給する電源制御部と、を備える電子時計が開示されている。
【先行技術文献】
【特許文献】
【０００４】
【特許文献１】特開２０１７−１２９４９８号公報
【発明の概要】
【発明が解決しようとする課題】
【０００５】
しかしながら、今般、特許文献１に記載されている電子時計のような近距離無線通信部（通信機能）や高度計測部（高度センサー）だけでなく、現在地を計測するための衛星測位部（測位衛星信号受信器）、運動負荷を計測するための加速度センサーや脈拍センサーを搭載した携帯型電子機器が提案されている。このように多くのセンサーや衛星測位部を搭載した機器は、データを計測するための電力消費量が大きく、二次電池や太陽電池を搭載していても、例えば登山中や運動中に電池切れしてしまう場合があった。
【課題を解決するための手段】
【０００６】
本願の携帯型電子機器は、ユーザーの体動を測定する体動センサー、および前記ユーザーの生体情報を測定する生体センサーを含む複数のセンサーを有する測定部と、前記ユーザーが実施する予定の運動情報を取得し、前記測定部による測定を制御するプロセッサーと、前記測定部、および前記プロセッサーに電力を供給する二次電池と、前記二次電池に電力を供給する太陽電池と、を備え、前記プロセッサーは、前記運動情報に基づいて、前記太陽電池の発電量の予測、および前記測定部の電力消費量の算出を行い、前記二次電池の電池残量、前記発電量、および前記電力消費量に基づいて、前記測定部の動作モードを選択することを特徴とする。
【０００７】
上述の携帯型電子機器において、前記プロセッサーは、運動開始前、または運動開始後の所定間隔で前記動作モードを決定することが好ましい。
【０００８】
上述の携帯型電子機器において、前記動作モードは、前記測定部が第１の頻度で測定する第１モードと、前記第１の頻度よりも低い第２の頻度で、あるいは前記第１モードよりも少ないセンサー数で測定する第２モードと、を含み、前記プロセッサーは、前記二次電池の電池残量に予測した前記発電量を加えた電池供給量が、前記運動情報に基づいて算出された前記電力消費量よりも小さい場合、前記測定部の前記動作モードを前記第２モードにすることが好ましい。
【０００９】
上述の携帯型電子機器において、前記プロセッサーは、前記二次電池の電池残量に予測した前記発電量を加えた電池供給量が、前記運動情報に基づいて算出された前記電力消費量よりも大きい場合、前記第２モードから前記第１モードに切り替え制御することが好ましい。
【００１０】
上述の携帯型電子機器において、記体動センサーは、測位衛星信号受信器、気圧センサー、方位センサー、および加速度センサーを含み、前記生体センサーは、脈センサーを含み、前記プロセッサーは、前記動作モードにおいて、前記気圧センサーおよび前記方位センサー、前記測位衛星信号受信器、前記脈センサー、前記加速度センサーの順に動作を制御することが好ましい。
【００１１】
本願の携帯型電子機器の制御方法は、複数のセンサーを有する測定部と、プロセッサーと、それらに電力を供給する二次電池と、前記二次電池に電力を供給する太陽電池と、を備えた携帯型電子機器の制御方法であって、前記ユーザーが実施する予定の運動情報を取得する工程と、前記運動情報に基づいて、前記測定部の電力消費量を算出する工程と、前記二次電池の残量を取得する工程と、前記運動情報に基づいて前記太陽電池の発電量を予測する工程と、前記発電量、前記二次電池の残量、および前記電力消費量に基づいて、前記測定部の動作モードを選択する工程と、を含むことを特徴とする。
【００１２】
上述の携帯型電子機器の制御方法において、前記動作モードを選択する工程は、運動開始前、または運動開始後に設けられることが好ましい。
【００１３】
上述の携帯型電子機器の制御方法において、前記動作モードは、前記測定部が第１の頻度で測定する第１モードと、前記第１の頻度よりも低い第２の頻度で、あるいは前記第１モードよりも少ないセンサー数で測定する第２モードと、を含み、前記二次電池の電池残量に予測した前記発電量を加えた電池供給量が、前記運動情報に基づいて算出された前記電力消費量よりも小さい場合、前記測定部の前記動作モードを前記第２モードにする工程を、含むことが好ましい。
【図面の簡単な説明】
【００１４】
【図１】携帯型電子機器としてのウェアラブル機器の概略構成を示す外観図。
【図２】ウェアラブル機器の装着例を示す外観図。
【図３】ウェアラブル機器の構成例を示す断面図。
【図４】ウェアラブル機器の構成例を示す機能ブロック図。
【図５】ウェアラブル機器の動作モードの制御方法を時系列で示すタイミングチャート。
【図６】ウェアラブル機器の動作モードの制御方法（動作モードの選択方法）の一例を示すフローチャート。
【図７】計測に係る動作モードの選択方法の詳細例を示すフローチャート。
【図８】各動作モードの体動センサーおよび生体センサーの状態を示す一覧表。
【図９】変形例に係る動作モードの制御方法を時系列で示すタイミングチャート。
【発明を実施するための形態】
【００１５】
以下、本発明に係る携帯型電子機器、および表示制御方法の実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００１６】
（携帯型電子機器としてのウェアラブル機器）
先ず、運動支援システムなどに用いられる運動支援装置（検出装置）として、例えばユーザーの手首に装着される脈センサーや体動センサーを備えた携帯型電子機器としてのウェアラブル機器（リスト機器）を例示し、図１、図２、図３、および図４を参照して説明する。図１は、携帯型電子機器としてのウェアラブル機器の概略構成を示す外観図である。図２は、ウェアラブル機器の装着例を示す外観図である。図３は、ウェアラブル機器の構成例を示す断面図である。図４は、ウェアラブル機器の構成例を示す機能ブロック図である。
【００１７】
携帯型電子機器としてのウェアラブル機器２００には、ユーザーの生体情報としての脈波情報を取得する生体センサーとしての光センサー４０やユーザーの動作情報（体動情報）を取得する体動センサー１７０を有する測定部１００（図４参照）が備えられている。さらに、ウェアラブル機器２００には、ユーザーの位置情報を取得する全地球的航法衛星システム（GNSS：Global Navigation Satellite System）などと呼ばれる位置情報衛星を用いた位置測位システムの一例としてのＧＰＳ（Global Positioning System）の測位衛星信号受信器１６０が備えられている。なお、測位衛星信号受信器１６０は、ユーザーの体動情報として位置の移動などを検知することができることから、体動センサー１７０に含めることができる。また、ウェアラブル機器２００は、頸部や足首等、ユーザーの他の部位に装着されるウェアラブル機器としてもよい。
【００１８】
光センサー４０は、脈拍数などの脈波情報を取得することが可能である。光センサー４０では、生体に対して照射された光の反射光または透過光を検出する手法等が用いられる。光センサー４０では、血管内の血流量に応じて、照射された光の生体での吸収量、反射量が異なるため、検出したセンサー情報は血流量等に対応した信号となり、当該信号を解析することで拍動に関する情報を取得することができる。ただし、生体センサーは、脈波情報を取得する光センサー４０に限定されず、心電計や超音波センサー等、他のセンサーを用いてもよい。
【００１９】
体動センサー１７０は、ユーザーの体動を検出するセンサーである。体動センサー１７０としては、図４に示すように、加速度センサー５５や角速度センサー（不図示）、あるいは方位センサー（地磁気センサー）５６や圧力センサー（気圧センサー）５７等を用いることが考えられるが、他のセンサーを用いてもよい。
【００２０】
ＧＰＳは、全地球測位システムとも呼ばれ、複数の衛星信号に基づいて地球上の現在位置を測定するための衛星測位システムである。測位衛星信号受信器１６０は、ＧＰＳ時刻情報と軌道情報とを使用して測位計算を行い、ユーザーの位置情報を取得する機能、および時計機能における時刻修正機能を備えている。
【００２１】
ウェアラブル機器２００に備えられた測位衛星信号受信器１６０は、ＧＰＳ衛星からの電波（衛星信号）を受信して内部時刻を修正したり、測位計算を行って位置情報を取得したりする機能を備えている。
【００２２】
ＧＰＳ衛星は、地球の上空において、所定の軌道上を周回する位置情報衛星の一例である。ＧＰＳ衛星は、航法メッセージが重畳された高周波の電波、例えば周波数が１．５７５４２ＧＨｚの電波（Ｌ１波）を地上に送信している。以降の説明では、航法メッセージが重畳された、例えば１．５７５４２ＧＨｚの電波を衛星信号という。衛星信号は、右旋偏波の円偏波である。
【００２３】
現在、複数のＧＰＳ衛星が存在している。衛星信号がどのＧＰＳ衛星から送信されたかを識別するために、各ＧＰＳ衛星はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。このようにして、衛星信号がどのＧＰＳ衛星から送信されたかを識別する衛星番号を取得することができる。
【００２４】
ＧＰＳ衛星は原子時計を搭載している。衛星信号には、原子時計で計時された極めて正確なＧＰＳ時刻情報が含まれている。地上のコントロールセグメントにより、各ＧＰＳ衛星に搭載されている原子時計のわずかな時刻誤差が測定されている。衛星信号には、その時刻誤差を補正するための時刻補正パラメーターも含まれている。ウェアラブル機器２００は、１つのＧＰＳ衛星から送信された衛星信号（電波）を受信し、その中に含まれるＧＰＳ衛星の時刻情報であるＧＰＳ時刻情報と時刻補正パラメーターとを使用して時刻情報を取得することができる。なお、衛星信号には、ＧＰＳ衛星の軌道上の位置を示すエフェメリス（精密衛星軌道情報）やアルマナックが含まれている。
【００２５】
ここで、エフェメリス（精密衛星軌道情報）は、一つの衛星の位置を高精度に表す、時間の関数であり、アルマナックに比べて軌道を表現するためのパラメーターが多いので、軌道の精度は高い。取得には、およそ３０秒〜１分を要する。また、アルマナックは、全衛星のおおよその位置が、時間の関数で表されている。取得には、１０分以上を要する。
【００２６】
ウェアラブル機器２００は、ＧＰＳ時刻情報と、エフェメリス（精密衛星軌道情報）やアルマナックなどの軌道情報と、を使用して測位計算を行うことができる。測位計算は、ウェアラブル機器２００の内部時刻にある程度の誤差が含まれていることを前提として行われる。すなわち、ウェアラブル機器２００の三次元の位置を特定するためのｘ，ｙ，ｚパラメーターに加えて時刻誤差も未知数になる。そのため、ウェアラブル機器２００は、例えば三つ以上のＧＰＳ衛星からそれぞれ送信された衛星信号（電波）を受信し、その中に含まれるＧＰＳ時刻情報と軌道情報とを使用して測位計算を行い、現在地の位置情報を取得することができる。
【００２７】
携帯型電子機器としてのウェアラブル機器２００について、さらに詳細に説明する。ウェアラブル機器２００は、図２に示すように、ユーザーの所与の部位（例えば手首などの測定の対象部位）に装着され、脈波情報や位置情報等を検出する。ウェアラブル機器２００は、図１に示すように、ハウジング３０を含みユーザーに密着されて脈波情報等を検出する機器本体１８と、機器本体１８に取り付けられ機器本体１８をユーザーに装着するための一対のバンド部１０と、を有する。ハウジング３０を含む機器本体１８には、表示部５０、および光センサー４０が設けられている。バンド部１０には、嵌合穴１２と尾錠１４とが設けられる。尾錠１４は、尾錠枠１５、および係止部（突起棒）１６から構成される。また、ハウジング３０の側面には、操作部１３０として押しボタンが複数配置されている。
【００２８】
なお、以下のウェアラブル機器２００の説明では、機器本体１８をユーザーに装着したとき、測定の対象部位となる対象物（被検体）側に位置する側を「裏側、もしくは裏面側」、その反対側となる機器本体１８の表示面側を「表側、もしくは表面側」として説明する。また、測定される「対象物（対象部位）」を「被検体」ということがある。また、ウェアラブル機器２００のハウジング３０を基準として座標系を設定し、表示部５０の表示面に交差する方向であって、表示部５０の表示面側のハウジング３０を表面とした場合の裏面から表面へと向かう方向をＺ軸正方向としている。あるいは、光センサー４０から表示部５０に向かう方向、あるいは表示部５０の表示面の法線方向においてハウジング３０から離れる方向をＺ軸正方向と定義してもよい。ウェアラブル機器２００が被検体に装着された状態では、上記Ｚ軸正方向とは、被検体からハウジング３０へと向かう方向に相当する。また、Ｚ軸に直交する２軸をＸＹ軸とし、特にハウジング３０に対してバンド部１０が取り付けられる方向をＹ軸に設定している。
【００２９】
図１は、嵌合穴１２と係止部１６とを用いてバンド部１０が固定された状態であるウェアラブル機器２００を、バンド部１０側の方向（ハウジング３０の面のうち装着状態において被検体側となる面側）である−Ｚ軸方向から見た斜視図である。ウェアラブル機器２００では、バンド部１０に複数の嵌合穴１２が設けられ、尾錠１４の係止部１６を、複数の嵌合穴１２のいずれかに挿入することでユーザーへの装着が行われる。複数の嵌合穴１２は、バンド部１０の長手方向に沿って設けられる。
【００３０】
機器本体１８は、図３に示すように、第１ハウジング２１と第２ハウジング２２とを含むハウジング３０を有する。第２ハウジング２２は、機器本体１８をユーザーに装着したとき、測定の対象物の側に位置する。第１ハウジング２１は、第２ハウジング２２に対して、測定の対象物側と反対側（表側）に配置される。そして、第２ハウジング２２には、検出窓２２１が設けられ、検出窓２２１に対応する第２ハウジング２２の位置に光センサー４０が設けられている。つまり、光センサー４０（生体センサー）はハウジング３０の中に設けられている。但し、光センサー４０の設けられる位置はこれに限定されず、第２ハウジング２２の測定の対象物と接触する面上に設けられてもよい。具体的には、生体センサーが心電計である場合、測定電極が第２ハウジング２２の測定の対象物と接触する面上に設けられる。
【００３１】
なお、ハウジング３０は、第１ハウジング２１と第２ハウジング２２とに分割された構成に限らず、第１ハウジング２１と第２ハウジング２２とを一体として構成されたハウジングであってもよい。このようなハウジングでは、表側に表示部５０が配置される開口が設けられ、裏側に検出窓２２１に相当する窓部を設ける。
【００３２】
図２は、ユーザーが装着した状態でのウェアラブル機器２００を、表示部５０の設けられる側（Ｚ軸方向）から見た図である。図２に示すように、本実施形態に係るウェアラブル機器２００は通常の腕時計の文字盤に相当する位置、あるいは数字やアイコンを視認可能な位置に表示部５０を有する。ウェアラブル機器２００の装着状態では、ハウジング３０のうちの第２ハウジング２２（図３参照）側が被検体に密着するとともに、表示部５０は、ユーザーによる視認が容易な位置となる。
【００３３】
次に、ウェアラブル機器２００のうちの機器本体１８の構成を、図３に示す断面構造例と図４に示す機能ブロック例を参照して説明する。図３に示すように、機器本体１８は、第１ハウジング２１と第２ハウジング２２とに加えて、モジュール基板３５と、モジュール基板３５に接続された光センサー４０と、回路基板４１と、表示部５０と、体動センサー１７０に含まれる加速度センサー５５、方位センサー５６、および圧力センサー（気圧センサー）５７と、二次電池６０と、ＬＣＤ５０１の表面側に配置された太陽電池７０と、衛星アンテナ６５と、制御部を構成するプロセッサー９０と、を含む。ただし、ウェアラブル機器２００の構成は図３に示す構成に限定されず、他の構成を追加することや一部の構成を省略することが可能である。
【００３４】
第１ハウジング２１は、胴部２１１とガラス板２１２を備えてもよい。この場合、胴部２１１およびガラス板２１２は、内部構造を保護する外壁として用いられるとともに、ガラス板２１２を介して、ガラス板２１２の直下に設けられる太陽電池７０に対する発電のための光を透過させたり、液晶ディスプレイ（以下、ＬＣＤ）等の表示部５０の表示をユーザーが視認できるようにしたりすることが可能な構成としてもよい。つまり本実施形態では、検出した生体情報や運動状態を表す情報、あるいは時刻情報等の種々の情報をＬＣＤに表示するものであってもよい。なお、ここでは機器本体１８の天板部分をガラス板２１２により実現する例を示したが、太陽電池７０の発電のための光が透過可能であり、且つ表示部５０を視認可能な透明部材であって、ＬＣＤ５０１等のハウジング３０の内部に含まれる構成を保護可能な程度の強度を有する部材であれば、透明のプラスチック等、ガラス以外の材料により天板部分を構成することが可能である。
【００３５】
第２ハウジング２２には、検出窓２２１、および遮光部２２２が設けられる。そして、第２ハウジング２２には、検出窓２２１に対応する位置に光センサー４０が設けられる。検出窓２２１は、光が透過する構成となっており、光センサー４０に含まれる発光部１５０（図４参照）から射出される光は、検出窓２２１を透過して被検体（測定の対象物）に対して照射される。また、被検体で反射された反射光も検出窓２２１を透過し、光センサー４０のうちの受光部１４０（図４参照）において受光される。つまり、検出窓２２１を設けることで、光センサー４０を用いた生体情報の検出が可能になる。光センサー４０は、モジュール基板３５に接続されている。なお、モジュール基板３５は、フレキシブル基板４７などを用いて回路基板４１と電気的な接続がなされている。
【００３６】
回路基板４１には、一方の面にＬＣＤ等の表示パネルを案内するパネル枠（不図示）が配置され、他方の面に二次電池６０などを案内する回路ケース（不図示）が配置されている。回路基板４１には、衛星アンテナ６５を含む測位衛星信号受信器１６０（図４参照）を制御する回路、光センサー４０を駆動し脈波（脈拍）を測定する回路、計時部１１０を制御する回路、表示部５０を駆動する回路、体動センサー１７０に含まれる加速度センサー５５、方位センサー５６および圧力センサー５７を駆動しセンサーデータを取得する回路などを制御する制御回路としてのプロセッサー９０が実装されている。回路基板４１は、表示部５０の電極と図示しないコネクターを介して導通されている。そして、表示部５０では、モニタリングされたユーザーの移動軌跡、移動距離、各移動状態に応じた脈拍数や心拍数、時刻情報などの移動に係る情報が表示される。
【００３７】
回路ケース４４には、充電可能な電池としての二次電池６０（リチウム二次電池）が案内されている。二次電池６０は、両極の端子が接続基板４８などによって回路基板４１に接続され、電源を制御する回路へ電源を供給する。図４では図示していないが、電源は、この回路で所定の電圧に変換されるなどして各回路へ供給され、光センサー４０を駆動し脈拍を検出する回路、表示部５０を駆動する回路、各回路を制御する制御回路（プロセッサー９０）などを動作させる。二次電池６０の充電は、コイルばねなどの導通部材（不図示）により回路基板４１と導通された一対の充電端子を介して行われる。なお、ここでは電池として二次電池６０を用いる例を説明したが、電池には、充電が不要な一次電池を用いてもよい。
【００３８】
また、図３に示したように、検出窓２２１は、第１ハウジング２１と第２ハウジング２２との接続部に設けられる密封部５１まで延在形成されていてもよい。ここで、密封部５１は、ハウジング３０の内部を外部から密閉するパッキン５２が設けられているものであってもよい。パッキン５２は、第１ハウジング２１と第２ハウジング２２との接続部に設けられ、ハウジング３０の内部を外部から密閉するものである。
【００３９】
また、ウェアラブル機器２００は、その機能構成として、図４に示されているように、生体センサーとしての光センサー４０、表示部５０、二次電池６０、太陽電池７０、通信部８０、発電制御回路１９０を含むプロセッサー９０、計時部１１０、操作部１３０、測位衛星信号受信器１６０を含む体動センサー１７０、および記憶部１８０を備えている。ここで、光センサー４０および測位衛星信号受信器１６０を含む体動センサー１７０が測定部１００を構成している。
【００４０】
光センサー４０は、脈波や脈拍等を検出する脈センサーとして機能し、受光部１４０、および発光部１５０を含む。光センサー４０は、前述したように発光部１５０から射出される光が被検体（測定の対象物）に対して照射され、その反射光が受光部１４０で受光されることによって脈波や脈拍などの脈情報を検出することができる。光センサー４０は、受光部１４０により検出された信号を、脈波検出信号として出力する。
【００４１】
表示部５０は、プロセッサー９０の指示に基づいて、ユーザーの生体情報や運動状態を表す情報、位置情報、あるいは時刻情報等の種々の情報を表示し、ユーザーに提示することができる。表示部５０は、ユーザーの位置情報を地図上に示したり、ユーザーの移動状態に応じた情報を示したりすることができる。表示部５０は、例えば、地図上にプロットされた移動履歴を移動軌跡として、もしくはユーザーの移動状態、例えば上り移動や下り移動のときの生体情報や運動状態に係る情報として、ユーザーに対してビジュアル的に示すことができる。このような表示を行うことにより、ユーザーは、移動軌跡や移動状態に係る情報を画像情報としてビジュアル的に視認できるので、ランニングやウォーキングの実績を把握しやすくなる。
【００４２】
太陽電池７０は、例えば太陽光などによって発電された電力を二次電池６０に供給することができる。太陽電池７０は、プロセッサー９０に含まれる発電制御回路１９０によって発電状態を監視され、二次電池６０と電気的に接続されている。太陽電池７０は、第１ハウジング２１に備えられたガラス板２１２の直下にあって、ＬＣＤ５０１の表面の胴部２１１側に配置されている。なお、太陽電池７０は、胴部２１１の内縁に沿った円周状に設けられることが好ましい。この場合、太陽電池７０は、一体のリング状、もしくは分割された板材をリング状に配置する構成であってもよい。
【００４３】
通信部８０は、別体の情報処理装置（不図示）との間において、情報通信を行うことができる。また、通信部８０は、プロセッサー９０からの命令に基づき、脈波情報や体動情報、もしくはユーザーの位置情報（測定位置情報）を、情報処理装置に送信することができる。また、通信部８０は、他の情報処理装置などからユーザーの運動情報を受信し、プロセッサー９０に送信することができる。なお、ここでの運動情報とは、運動の種別、運動の日時、運動の開始時刻および終了時刻、運動場所における気象情報などを含む。
【００４４】
プロセッサー（ＣＰＵ：Central Processing Unit）９０は、光センサー４０を駆動し脈波を測定する回路、表示部５０を駆動する回路、体動センサー１７０を駆動し体動情報を検出する回路、および測位衛星信号受信器１６０を制御する回路、太陽電池７０や二次電池６０を制御する発電制御回路１９０などの制御回路を構成する。プロセッサー９０は、操作部１３０からの信号、もしくは体動センサー１７０の加速度センサー５５や圧力センサー５７などの検出結果に基づいて、運動情報や位置情報の計測開始（ワークアウト開始）や計測終了（ワークアウト終了）のタイミングの決定、もしくは表示モードの切り替えなど表示部５０への表示を制御することができる。
【００４５】
プロセッサー９０は、ユーザーが実施する運動情報を、通信部８０を介して取得することができる。また、プロセッサー９０は、発電制御回路１９０によって、現在の太陽電池７０による発電がどのくらいなされているかの発電量、即ち現時点における太陽電池７０による発電量を算出することができる。加えて、プロセッサー９０は、二次電池６０の電池残量を取得することができる。また、プロセッサー９０は、ユーザーが実施する運動情報、および現時点での太陽電池７０の発電量に基づいて、例えば計測開始（ワークアウト開始）や計測終了（ワークアウト終了）までの間の太陽電池７０の発電量を予測し、予測発電量として算出することができる。また、プロセッサー９０は、ユーザーが実施する運動情報に基づいて、測定部１００を構成する体動センサー１７０と光センサー４０との電力消費量を算出することができる。
【００４６】
そして、プロセッサー９０は、取得した二次電池６０の電池残量、太陽電池７０の予測発電量、および各センサーの電力消費量に基づいて、体動センサー１７０および光センサー４０の動作モードを選択し、決定することができる。なお、ここでの動作モードとは、複数のセンサーを有する測定部１００が、第１の頻度で測定する第１モード（通常モード）と、第１の頻度よりも低い第２の頻度で、あるいは第１モードよりも少ないセンサー数で測定する第２モード（省電力モード）と、のいずれかのモードである。この動作モードの選択に係る手順については、後段の制御方法（動作モードの選択方法）の説明にて詳述する。
【００４７】
具体的にプロセッサー９０は、運動開始前、または運動開始後の所定間隔ごとに、測定部１００の動作モードを選択し、決定することができる。このように、所定間隔ごとに動作モードを決定すれば、その時点ごとにおける二次電池６０の電池残量や太陽電池７０による発電量に基づいて、測定部１００の動作モードを見直すことができる。これにより、実態に即した体動センサー１７０および光センサー４０の動作モードとすることができ、電池切れの虞を減少させたり、体動センサー１７０および光センサー４０の計測を有効的に行ったりすることができる。
【００４８】
また、プロセッサー９０は、二次電池６０の電池残量に予測した太陽電池７０の発電量を加えた電池供給量（電池供給可能量）が、運動情報に基づいて算出された電力消費量よりも小さい場合（下回る場合）、体動センサー１７０および光センサー４０の動作モードを、第２モード（省電力モード）に制御することができる。このように制御すれば、二次電池６０の電池残量に予測した太陽電池７０の発電量を加えた電池供給量が、運動情報に基づいて算出された電力消費量よりも小さい場合、体動センサー１７０および光センサー４０の動作モードを第２モード（省電力モード）に制御するため、測定部１００の体動センサー１７０および光センサー４０の電力消費量を少なくすることができる。これにより、電池寿命を長くすることができ、電池切れの虞を減少させることができる。
【００４９】
また、プロセッサー９０は、二次電池６０の電池残量に予測した太陽電池７０の発電量を加えた電池供給量が、運動情報に基づいて算出された体動センサー１７０および光センサー４０の電力消費量よりも大きい場合（上回る場合）、体動センサー１７０および光センサー４０の動作モードを第２モード（省電力モード）から第１モード（通常モード）に切り替え制御することができる。このように制御すれば、二次電池６０の電池残量に予測した太陽電池７０の発電量を加えた電池供給量が、運動情報に基づいて算出された電力消費量よりも大きい場合、体動センサー１７０および光センサー４０の動作モードを第２モードから第１モードに切り替える。これにより、電池供給量が十分にあると判定した場合の、測定部１００の体動センサー１７０および光センサー４０の計測をより細密に行うことができる。
【００５０】
プロセッサー９０は、通信部８０を介して脈波情報や体動情報、もしくはユーザーの位置情報（測定位置情報）やセンサーデータを、情報処理装置に送信したり、情報処理装置から受信したりすることができる。
【００５１】
また、プロセッサー９０は、測位衛星信号受信器１６０の取得した位置情報や加速度センサー５５の取得した加速度データなどを用いて、ユーザーの移動距離、移動スピード、ピッチ、およびペースなどをリアルタイムに計測することができる。なお、ピッチとは、単位時間当たりの走行距離を示し、ペースとは、単位距離当たりにかかった時間を示している。
【００５２】
計時部１１０は、例えば測位衛星信号受信器１６０の取得したＧＰＳ時刻情報と時刻補正パラメーターとを使用して現在時刻を計時する。そして、計時部１１０は、計時した現在時刻をプロセッサー９０に出力する。
【００５３】
押しボタンなどで構成される操作部１３０は、プロセッサー９０と接続されている。ユーザーは、複数配置されたボタン（操作部１３０）を押すなどの操作を行うことにより、例えば位置情報の計測開始（ワークアウト開始）や計測終了（ワークアウト終了）のタイミング、もしくは表示モードの切り替えなどを手動で指示することができる。
【００５４】
体動センサー１７０は、測位衛星信号受信器１６０、加速度センサー５５、方位センサー（地磁気センサー）５６、および圧力センサー（気圧センサー）５７などを含み、ユーザーの体の動きに係る情報の検出、即ち体動情報を検出することができる。体動センサー１７０は、ユーザーの体動に応じて変化する信号である体動検出信号として、具体的に測位衛星信号受信器１６０からは測定位置データ、加速度センサー５５からは加速度データ、方位センサー５６からは方位データ、および圧力センサー５７からは気圧データなどのセンサーデータが出力される。測定位置データ、加速度データ、方位データ、および気圧データなどの計測器の検出したセンサーデータは、プロセッサー９０に出力される。なお、体動センサー１７０の構成は、必ずしも上述の構成に限らず、少なくとも加速度センサー５５を備えていればよい。
【００５５】
測位衛星信号受信器１６０は、衛星アンテナ６５、信号処理部６６、衛星情報取得部６８、および位置算出部６９を含む。測位衛星信号受信器１６０は、衛星アンテナ６５が受信した複数の衛星信号を信号処理部６６が処理し、処理された複数の衛星信号、例えばエフェメリス（精密衛星軌道情報）やアルマナックを含む衛星信号を衛星情報取得部６８が取得する。そして、衛星情報取得部６８が取得した複数の衛星信号に基づいて、位置算出部６９において、測位計算を行ってユーザーの測定位置情報を決定することができる。
【００５６】
衛星情報取得部６８は、プロセッサー９０の指示に基づく取得タイミングにおいて、衛星情報として、例えば、一つの衛星の位置を高精度に表す時間の関数であるエフェメリス、および全衛星のおおよその位置が、時間の関数で表されているアルマナックを取得することができる。
【００５７】
位置算出部６９は、取得された複数の衛星信号に基づいて測位計算を行い、計測開始（ワークアウト開始）から計測終了（ワークアウト終了）までの期間におけるワークアウト情報として複数の測定位置情報を決定することができる。ここで決定される測定位置情報は、ユーザーの現在地に係る位置情報である。このように、測位衛星システムの衛星からの信号を使って決定されたユーザーの現在地である測定位置情報に基づいて、計測開始（ワークアウト開始）から計測終了（ワークアウト終了）までの期間におけるユーザーの移動軌跡を決定することができる。
【００５８】
なお、計測開始、および計測終了のタイミングは、操作部１３０のボタン操作、もしくは加速度センサー５５や図示しない脈拍センサーなどの出力に基づいて、プロセッサー９０が判定することによって決定されることができる。
【００５９】
記憶部１８０は、プロセッサー９０の制御によって、光センサー４０による脈波等の生体情報、測位衛星信号受信器１６０による位置情報、および体動センサー１７０による体動情報などを記憶することができる。
【００６０】
以上述べたウェアラブル機器２００によれば、二次電池６０の残量および運動情報に基づいて予測した太陽電池７０の発電量と、運動情報に基づいて算出した体動センサー１７０および生体センサーとしての光センサー４０の電力消費量とに基づいて、運動開始から終了までの期間における体動センサー１７０および光センサー４０の計測が可能な動作モードとすることができる。これにより、例えば登山中やジョギングなどの運動中に、電池切れによって計測不能となってしまう虞を減少させることができる。
【００６１】
また、ウェアラブル機器２００によれば、その時点における二次電池６０の電池残量や太陽電池７０による発電量に基づいて、動作モードを見直すことができる。これにより、実態に即した動作モードとすることができ、電池切れの虞を減少させたり、体動センサー１７０および光センサー４０の計測を有効的に行ったりすることができる。
【００６２】
（動作モードの制御方法）
次に、ウェアラブル機器２００の動作モードの制御方法の一例について、図５ないし図８を参照して説明する。図５は、ウェアラブル機器の動作モードの制御方法を時系列で示すタイミングチャートである。図６は、ウェアラブル機器の動作モードの制御方法（動作モードの選択方法）の一例を示すフローチャートである。図７は、計測に係る動作モードの選択方法の詳細例を示すフローチャートである。図８は、各動作モードの体動センサーおよび生体センサーの状態を示す一覧表である。
【００６３】
ウェアラブル機器２００のプロセッサー９０は、運動を行っている、例えばジョギングを行っているユーザーの位置、移動状態、もしくは速度や脈拍数に係るデータを計測する体動センサー１７０および光センサー４０の動作モードを制御することができる。以下、動作モードの制御方法の一例を説明するが、上述したウェアラブル機器２００の構成は、同名称および同符号を用いて説明する。
【００６４】
プロセッサー９０は、図５に示すように、運動開始前（ジョギング開始前）において、ユーザーが実施する予定であるジョギングに係る運動情報として、運動の種別（例えば、走行距離１０ｋｍのジョギング）、運動の日時（例えば、２０１８年２月１０日、１３：００スタート）、運動場所、および運動場所における気象情報（例えば、晴れ、気温１４℃、湿度４０％）などを取得する。そして、プロセッサー９０は、運動開始前、または運動開始後のいずれかにおいて、体動センサー１７０および光センサー４０の動作モードに省電力モードが必要か否かを判定し、省電力モードが必要であれば、どの程度の省電力が必要かに基づいて、図８の一覧表に示す省電力モード１ないし省電力モード５の内から一つの省電力モードを選択し、決定することができる。なお、この省電力モードの選択は、運動開始前、および運動開始後の双方において行われてもよい。また、この省電力モードの選択は、運動開始前、および運動開始後において、それぞれ複数回によって行なわれてもよい。
【００６５】
本例の動作モードの制御方法は、測定部１００を構成する体動センサー１７０、生体センサーとしての光センサー４０と、測定部１００を制御可能なプロセッサー９０と、それらに電力を供給する二次電池６０と、二次電池６０に電力を供給する太陽電池７０と、を備えたウェアラブル機器２００の制御方法である。なお、以下では、測定部１００を、体動センサー１７０および光センサー４０として説明する。また、体動センサー１７０（加速度センサー５５、測位衛星信号受信器１６０、圧力センサー５７および方位センサー５６）や光センサー４０の複数のセンサーを有する測定部１００が、第１の頻度で測定する第１モードを「通常モード」とし、第１の頻度よりも低い第２の頻度で、あるいは第１モードよりも少ないセンサー数で測定する第２モードを「省電力モード」として説明する。
【００６６】
本例の動作モードの制御方法は、図６に示すように、ユーザーが実施する運動情報を取得する工程（ステップＳ１０１）と、運動情報に基づいて、体動センサー１７０および光センサー４０の電力消費量を算出する工程（ステップＳ１０３）と、二次電池６０の残量を取得する工程（ステップＳ１０５）と、運動情報に基づいて太陽電池７０の発電量を予測する工程（ステップＳ１０９）と、太陽電池７０の発電量、二次電池６０の残量、および電力消費量に基づいて、体動センサー１７０および光センサー４０の動作モードを選択する工程（ステップＳ１１１、ステップＳ１１５）と、を含む。
【００６７】
図６に示すように、先ず、プロセッサー９０は、体動センサー１７０および光センサー４０の計測開始に先立って、ユーザーが実施する運動情報を取得する（ステップＳ１０１）。ここでの運動情報とは、運動の種別（例えば、走行距離１０ｋｍのジョギング）、運動の日時（例えば、２０１８年２月１０日、１３：００スタート）、運動場所、および運動場所における気象情報（例えば、晴れ、気温１４℃、湿度４０％）などである。
【００６８】
次に、プロセッサー９０は、取得した運動情報に基づいて、この運動の開始から終了までにおける体動センサー１７０および光センサー４０の計測に必要な電力量としての電力消費量Ａを算出する（ステップＳ１０３）。なお、この電力消費量Ａの算出における体動センサー１７０および光センサー４０の動作モードは、全てのセンサーによって計測が行なわれる通常モード（図８参照）を適用する。
【００６９】
次に、プロセッサー９０は、二次電池６０に残っている電力である二次電池残量Ｂを取得する（ステップＳ１０５）。次に、プロセッサー９０は、１回目の省電力モード判定を行なう（ステップＳ１０７）。１回目の省電力モード判定（ステップＳ１０７）では、電力消費量Ａが二次電池残量Ｂよりも小さいか否か、即ち、Ｂ＞Ａであるか否かを判定する。
【００７０】
プロセッサー９０は、１回目の省電力モード判定（ステップＳ１０７）において、Ｂ＞Ａである場合、即ち電力消費量Ａが二次電池残量Ｂよりも小さい場合（ステップＳ１０７：Ｙｅｓ）、省電力モードを適用しなくても計測開始から計測終了まで通常モードでの体動センサー１７０および光センサー４０による計測が可能と判断し、通常モードを選択および決定し、決定された通常モードで計測を行う（ステップＳ１１３）。
【００７１】
また、プロセッサー９０は、１回目の省電力モード判定工程（ステップＳ１０７）において、Ｂ＞Ａでない場合、即ち電力消費量Ａが二次電池残量Ｂよりも大きい場合（ステップＳ１０７：Ｎｏ）、発電制御回路１９０によって、現在の太陽電池７０の現在発電量を取得し、該現在発電量および運動情報に基づいて、計測開始から計測終了までの計測期間において予測される太陽電池７０の発電量Ｃを予測する（ステップＳ１０９）。
【００７２】
次に、プロセッサー９０は、２回目の省電力モード判定を行なう（ステップＳ１１１）。２回目の省電力モード判定工程（ステップＳ１１１）では、発電量Ｃが、電力消費量Ａから二次電池残量Ｂを減算した値（不足電力量）よりも大きいか否か（Ａ−Ｂ）＜Ｃを判定する。即ち、計測開始から計測終了までの計測期間において予測される太陽電池７０の発電量Ｃが、電力消費量Ａと二次電池残量Ｂとから算出された不足電力量よりも大きいか否かを判定する。
【００７３】
プロセッサー９０は、２回目の省電力モード判定工程（ステップＳ１１１）において、（Ａ−Ｂ）＜Ｃである場合、即ち発電量Ｃが、電力消費量Ａから二次電池残量Ｂを減算した値よりも大きい場合（ステップＳ１１１：Ｙｅｓ）、省電力モードを適用しなくても計測開始から計測終了まで通常モードでの体動センサー１７０および光センサー４０の計測が可能と判断し、通常モードを選択および決定し、決定された通常モードで計測を行う（ステップＳ１１３）。
【００７４】
また、プロセッサー９０は、２回目の省電力モード判定工程（ステップＳ１１１）において、（Ａ−Ｂ）＜Ｃでない場合、即ち発電量Ｃが、電力消費量Ａから二次電池残量Ｂを減算した値よりも小さい場合（ステップＳ１１１：Ｎｏ）、省電力モードの選択処理を行う（ステップＳ１１５）。そして、プロセッサー９０は、選択（決定）された省電力モードで体動センサー１７０および光センサー４０の計測を行う（ステップＳ１１７）。以上の工程で、本例の動作モードの制御方法における一連の手順を終了する。
【００７５】
ここで、図７および図８を参照して、省電力モードの選択処理（決定処理）を行う工程（ステップＳ１１５）について詳細を説明する。本例における動作モードは、図８に示すように、通常モード（第１モード）と、省電力モード（第２モード）としての省電力モード１ないし省電力モード５と、の六つの動作モードとして設定する。なお、それぞれの動作モードでは、動作させるセンサーなどの計測器が設定されている。そして、省電力モードの選択処理を行う工程（ステップＳ１１５）において、プロセッサー９０は、省電力モード１ないし省電力モード５のうちから計測に適用する動作モードを選択（決定）して電力消費量を制御する。
【００７６】
図８に示す一覧表では、動作の優先順位の高い方から順に、加速度センサー５５、光センサー４０、測位衛星信号受信器１６０、圧力センサー（気圧センサー）５７および方位センサー５６として設定している。換言すると、計測の必要性の高いものから順に優先順位を設定し、計測の必要性の低い（使用頻度が低い）計測器から計測の必要性の高い計測器にかけて順に、即ち圧力センサー５７および方位センサー５６から加速度センサー５５にかけて順に動作を制御する。但し、加速度センサー５５は、ユーザーの移動状態を計測するために不可欠であるため、動作の制御を行わないこととしている。このように、使用頻度の少ない計測器から順次動作を制御するため、電力消費量の削減と、より効率的な計測とを実現することができる。
【００７７】
また、図８に示すように、各計測器の動作の制御は、動作、間欠動作、および動作停止を含む。そして、圧力センサー５７および方位センサー５６は、動作、または動作停止によって制御し、測位衛星信号受信器１６０および光センサー４０は、動作、間欠動作、または動作停止のいずれかに制御する。なお、間欠動作とは、計測動作を間引くことであり、換言すれば、例えば計測動作の間隔を１秒から２秒に広げるなどのように計測動作の間隔を広げることである。さらに言い換えれば、間欠動作とは、計測頻度を下げることということもできる。このように、使用頻度の高い測位衛星信号受信器１６０および光センサー４０は間欠動作を含み、使用頻度の低い圧力センサー５７および方位センサー５６は間欠動作を含まないなど、動作制御を異ならせることにより、電力消費量を削減させつつ、より適切な計測を行うことができる。
【００７８】
図８の一覧表に示す各省電力モードの構成を具体的に説明する。なお、本例の省電力モードは、電力消費量の大きい方から順に、省電力モード１ないし省電力モード５が設定されている。
（１）省電力モード１では、優先順位の高い順から、加速度センサー５５、光センサー（脈センサー）４０、および測位衛星信号受信器１６０を動作（ＯＮ）と設定し、優先順位の低い圧力センサー５７および方位センサー５６を非動作（ＯＦＦ）と設定している。
（２）省電力モード２では、加速度センサー５５、および光センサー（脈センサー）４０を動作（ＯＮ）と設定し、測位衛星信号受信器１６０を間欠動作と設定し、圧力センサー５７および方位センサー５６を非動作（ＯＦＦ）と設定している。
（３）省電力モード３では、加速度センサー５５を動作（ＯＮ）と設定し、光センサー（脈センサー）４０および測位衛星信号受信器１６０を間欠動作と設定し、圧力センサー５７および方位センサー５６を非動作（ＯＦＦ）と設定している。
（４）省電力モード４では、加速度センサー５５を動作（ＯＮ）と設定し、光センサー（脈センサー）４０を間欠動作と設定し、測位衛星信号受信器１６０、圧力センサー５７および方位センサー５６を非動作（ＯＦＦ）と設定している。
（５）省電力モード５では、加速度センサー５５を動作（ＯＮ）と設定し、光センサー（脈センサー）４０、測位衛星信号受信器１６０、圧力センサー５７および方位センサー５６を非動作（ＯＦＦ）と設定している。
【００７９】
以下、図７に沿って、省電力モードの選択処理を行う工程（ステップＳ１１５）について説明する。省電力モードの選択処理を行う工程（ステップＳ１１５）では、プロセッサー９０によって、できる限り計測データを減じることなく、且つ電池切れの起きる虞の無い電力消費量となるように、適切な省電力モードを選択（決定）する。
【００８０】
省電力モードを選択する工程（ステップＳ２１０）において、先ず、プロセッサー９０は、二次電池残量Ｂと発電量Ｃとを加えた電池供給量（電池供給可能量）が、省電力モード１の電力消費量よりも大きいか否か、即ち（Ｂ＋Ｃ）＞省電力モード１の電力消費量であるか否かを判定する（ステップＳ２１１）。
【００８１】
プロセッサー９０は、ステップＳ２１１において、二次電池残量Ｂと発電量Ｃとを加えた電池供給量が、省電力モード１の電力消費量よりも大きいと判断した場合（ステップＳ２１１：Ｙｅｓ）、省電力モード１を選択（決定）し、選択された省電力モード１によって計測を行う（ステップＳ１１７）。
【００８２】
また、プロセッサー９０は、ステップＳ２１１において、二次電池残量Ｂと発電量Ｃとを加えた電池供給量が、省電力モード１の電力消費量よりも小さいと判断した場合（ステップＳ２１１：Ｎｏ）、次の判定工程に移行し、二次電池残量Ｂと発電量Ｃとを加えた電池供給量が、省電力モード２の電力消費量よりも大きいか否か、即ち（Ｂ＋Ｃ）＞省電力モード２の電力消費量であるか否かを判定する（ステップＳ２１２）。
【００８３】
プロセッサー９０は、ステップＳ２１２において、二次電池残量Ｂと発電量Ｃとを加えた電池供給量が、省電力モード２の電力消費量よりも大きいと判断した場合（ステップＳ２１２：Ｙｅｓ）、省電力モード２を選択（決定）し、選択された省電力モード２によって計測を行う（ステップＳ１１７）。
【００８４】
また、プロセッサー９０は、ステップＳ２１２において、二次電池残量Ｂと発電量Ｃとを加えた電池供給量が、省電力モード２の電力消費量よりも小さいと判断した場合（ステップＳ２１２：Ｎｏ）、次の判定工程に移行し、二次電池残量Ｂと発電量Ｃとを加えた電池供給量が、省電力モード３の電力消費量よりも大きいか否か、即ち（Ｂ＋Ｃ）＞省電力モード３の電力消費量であるか否かを判定する（ステップＳ２１３）。
【００８５】
プロセッサー９０は、ステップＳ２１３において、二次電池残量Ｂと発電量Ｃとを加えた電池供給量が、省電力モード３の電力消費量よりも大きいと判断した場合（ステップＳ２１３：Ｙｅｓ）、省電力モード３を選択（決定）し、選択された省電力モード３によって計測を行う（ステップＳ１１７）。
【００８６】
また、プロセッサー９０は、ステップＳ２１３において、二次電池残量Ｂと発電量Ｃとを加えた電池供給量が、省電力モード３の電力消費量よりも小さいと判断した場合（ステップＳ２１３：Ｎｏ）、次の判定工程に移行し、二次電池残量Ｂと発電量Ｃとを加えた電池供給量が、省電力モード４の電力消費量よりも大きいか否か、即ち（Ｂ＋Ｃ）＞省電力モード４の電力消費量であるか否かを判定する（ステップＳ２１４）。
【００８７】
プロセッサー９０は、ステップＳ２１４において、二次電池残量Ｂと発電量Ｃとを加えた電池供給量が、省電力モード４の電力消費量よりも大きいと判断した場合（ステップＳ２１４：Ｙｅｓ）、省電力モード４を選択（決定）し、選択された省電力モード４によって計測を行う（ステップＳ１１７）。
【００８８】
また、プロセッサー９０は、ステップＳ２１４において、二次電池残量Ｂと発電量Ｃとを加えた電池供給量が、省電力モード４の電力消費量よりも小さいと判断した場合（ステップＳ２１４：Ｎｏ）、次の判定工程に移行し、二次電池残量Ｂと発電量Ｃとを加えた電池供給量が、省電力モード５の電力消費量よりも大きいか否か、即ち（Ｂ＋Ｃ）＞省電力モード５の電力消費量であるか否かを判定する（ステップＳ２１５）。
【００８９】
プロセッサー９０は、ステップＳ２１５において、二次電池残量Ｂと発電量Ｃとを加えた電池供給量が、省電力モード４の電力消費量よりも大きいと判断した場合（ステップＳ２１５：Ｙｅｓ）、省電力モード５を選択（決定）し、選択された省電力モード５によって計測を行う（ステップＳ１１７）。
【００９０】
また、プロセッサー９０は、ステップＳ２１５において、二次電池残量Ｂと発電量Ｃとを加えた電池供給量が、省電力モード５の電力消費量よりも小さいと判断した場合（ステップＳ２１５：Ｎｏ）、計測開始から終了までの計測ができない、即ち計測途中での電池切れの虞がある旨の警告を表示部５０に表示し（ステップＳ１２０）、一連の動作を終了する。なお、計測途中での電池切れの虞がある旨の警告は、表示部５０への表示に限らず、音声、振動など他の方法を用いてもよい。
【００９１】
また、プロセッサー９０は、ステップＳ２１５において、二次電池残量Ｂと発電量Ｃとを加えた電池供給量が、省電力モード５の電力消費量よりも小さいと判断した場合（ステップＳ２１５：Ｎｏ）、計測開始から終了までの計測ができない、即ち計測途中での電池切れの虞がある旨の警告を行い（ステップＳ１２０）、省電力モード５によって計測を行ってもよい。
【００９２】
以上説明したウェアラブル機器２００に係る動作モードの制御方法によれば、二次電池６０の残量、および運動情報に基づいて予測した太陽電池７０の発電量と、運動情報に基づいて算出した体動センサー１７０および生体センサーとしての光センサー４０の電力消費量とに基づいて、ワークアウト開始から終了までの期間における体動センサー１７０および光センサー４０の計測が可能な動作モードとすることができる。これにより、例えば登山中や運動中に、ウェアラブル機器２００が電池切れによって計測不能となってしまう虞を減少させることができる。
【００９３】
また、動作モードを選択（決定）する工程（ステップＳ１０７、ステップＳ１１１、ステップＳ１１５）は、運動開始前、または運動開始後に設けられることが好ましい。このようにすれば、その時点における電池残量や太陽電池７０による発電量に基づいて、動作モードを見直すことができる。これにより、実態に即した動作モードとすることができ、電池切れの虞を減少させたり、体動センサー１７０および光センサー４０の計測を有効的に行ったりすることができる。
【００９４】
（動作モードの制御方法の変形例）
次に、ウェアラブル機器２００の動作モードの制御方法の変形例について、図９を参照して説明する。図９は、変形例に係る動作モードの制御方法を時系列で示すタイミングチャートである。以下、動作モードの制御方法の変形例を説明するが、上述したウェアラブル機器２００の構成は、同名称および同符号を用いて説明する。
【００９５】
プロセッサー９０は、図９に示すように、運動開始前（ジョギング開始前）において、このジョギングに係る運動情報として、運動の種別（例えば、走行距離１０ｋｍのジョギング）、運動の日時（２０１８年２月１０日、１３：００スタート）、運動場所における気象情報（晴れ、気温１４℃、湿度４０％）などを取得する。そして、プロセッサー９０は、運動開始前において、体動センサー１７０および光センサー４０の動作モードに省電力モードが必要か否かを判定し、省電力モードが必要であれば、どの程度の省電力が必要かに基づいて、前述にて説明した図８の一覧表に示す省電力モード１ないし省電力モード５の内から一つの省電力モードを選択し、決定することができる。
【００９６】
また、プロセッサー９０は、運動開始後において、所定の間隔ｔごとに体動センサー１７０および光センサー４０の動作モードの再設定が必要か否かを判定し、動作モードの再設定が必要と判断した場合、動作モード（通常モード、もしくは省電力モード）の再設定を行い、再設定した動作モードによって計測を続けることができる。
【００９７】
詳述すれば、運動開始後、所定の間隔ｔが経過した時点で、体動センサー１７０および光センサー４０の動作モードの再設定が必要か否かを判定し、動作モードの再設定が必要と判断した場合、動作モード（通常モード、もしくは省電力モード）を設定する（再設定１）。そして、再設定１の動作モードによって計測を継続する。その後、さらに所定の間隔ｔが経過した時点で、体動センサー１７０および光センサー４０の動作モードの再設定が必要か否かを判定し、動作モードの再設定が必要と判断した場合、動作モード（通常モード、もしくは省電力モード）を設定する（再設定２）。そして、再設定２の動作モードによって計測を継続する。以降同様な設定を行いながら計測を継続することができる。なお、各再設定において、動作モードの再設定が必要ではない（不要）と判断した場合、従前の動作モードによって計測を継続することができる。
【００９８】
以上説明したウェアラブル機器２００の動作モードの制御方法の変形例によれば、運動開始後において、所定の間隔ｔごとに体動センサー１７０および光センサー４０の動作モードを見直すことができる。これにより、その時点における二次電池６０の電池残量や太陽電池７０による発電量に基づいて、動作モードを見直すことができ、現在の実態に即した動作モードとすることができ、電池切れの虞を減少させたり、体動センサー１７０および光センサー４０の計測を有効的に行ったりすることができる。
【００９９】
なお、上述した実施形態では、動作モードの制御において、太陽電池７０による発電量をプロセッサー９０に含まれる発電制御回路１９０によって検知する事例を示して説明したが、これに限らない。発電制御回路１９０によって太陽電池７０の発電量を検知する方法に替えて、例えば、ウェアラブル機器２００に照度センサーを備え、その照度センサーによって検知された照度に基づいて太陽電池７０による発電量を算出することができる。そして、照度センサーによって検知された照度に基づいて算出された太陽電池７０による発電量と二次電池６０の電池残量とに基づいて動作モードを選択したり見直したりすることができる。
【０１００】
また、上述した実施形態の省電力モードにおいて、省電力モード１から省電力モード５までの構成を説明したが、これらの計測器の制御に加えて、通信部８０による他の情報処理装置との通信を停止することによって通信に係る電力消費量を低減させるように制御する省電力モードを適用することができる。この場合、省電力モード１から省電力モード５のいずれかに、適宜通信部８０による他の情報処理装置との通信停止を加えることができる。
【０１０１】
また、上述した実施形態では、全地球的航法衛星システム（GNSS：Global Navigation Satellite System）が備える位置情報衛星としてＧＰＳ衛星を用いたＧＰＳを例示して説明したが、これはあくまで一例である。全地球的航法衛星システムは、ガリレオ（EU）、GLONASS（ロシア）、北斗（中国）などの他のシステムや、SBASなどの静止衛星や準天頂衛星などの衛星信号を発信する位置情報衛星を備えるものであればよい。即ち、ウェアラブル機器２００は、ＧＰＳ衛星以外の衛星を含む位置情報衛星からの電波（無線信号）を処理して把握される日付情報、時刻情報、位置情報および速度情報のいずれか一つを取得する構成であってもよい。なお、全地球的航法衛星システムは、地域航法衛星システム（RNSS：Regional Navigation Satellite System）とすることができる。
【０１０２】
以下に、上述した実施形態から導き出される内容を、各態様として記載する。
【０１０３】
［態様１］本態様に係る携帯型電子機器は、ユーザーの体動を測定する体動センサー、および前記ユーザーの生体情報を測定する生体センサーを含む複数のセンサーを有する測定部と、前記ユーザーが実施する予定の運動情報を取得し、前記測定部による測定を制御するプロセッサーと、前記測定部、および前記プロセッサーに電力を供給する二次電池と、前記二次電池に電力を供給する太陽電池と、を備え、前記プロセッサーは、前記運動情報に基づいて、前記太陽電池の発電量の予測、および前記測定部の電力消費量の算出を行い、前記二次電池の電池残量、前記発電量、および前記電力消費量に基づいて、前記測定部の動作モードを選択することを特徴とする。
【０１０４】
本態様によれば、二次電池の残量およびユーザーが実施する予定の運動情報に基づいて予測した太陽電池の発電量と、該運動情報に基づいて算出した測定部（複数のセンサー）の電力消費量とに基づいて、運動開始から終了までの期間における測定部の計測が可能な動作モードとすることができる。これにより、例えば登山中や運動中に、電池切れによって計測不能となってしまう虞を減少させることができる。
【０１０５】
［態様２］上記態様に記載の携帯型電子機器において、前記プロセッサーは、運動開始前、または運動開始後の所定間隔で前記動作モードを決定することが好ましい。
【０１０６】
本態様によれば、その時点における電池残量や太陽電池による発電量に基づいて、動作モードを見直すことができる。これにより、実態に即した動作モードとすることができ、電池切れの虞を減少させたり、体動センサーおよび生体センサーの計測を有効的に行ったりすることができる。
【０１０７】
［態様３］上記態様に記載の携帯型電子機器において、前記動作モードは、前記測定部が第１の頻度で測定する第１モードと、前記第１の頻度よりも低い第２の頻度で、あるいは前記第１モードよりも少ないセンサー数で測定する第２モードと、を含み、前記プロセッサーは、前記二次電池の電池残量に予測した前記発電量を加えた電池供給量が、前記運動情報に基づいて算出された前記電力消費量よりも小さい場合、前記測定部の前記動作モードを前記第２モードにすることが好ましい。
【０１０８】
本態様によれば、二次電池の電池残量に予測した発電量を加えた電池供給量が、運動情報に基づいて算出された電力消費量よりも小さい場合、測定部の動作モードを、第１の頻度よりも低い第２の頻度で、あるいは前記第１モードよりも少ないセンサー数で測定する第２モードにするため、電力消費量を少なくすることができる。これにより、電池寿命を長くすることができ、電池切れの虞を減少させることができる。
【０１０９】
［態様４］上記態様に記載の携帯型電子機器において、前記プロセッサーは、前記二次電池の電池残量に予測した前記発電量を加えた電池供給量が、前記運動情報に基づいて算出された前記電力消費量よりも大きい場合、前記第２モードから前記第１モードに切り替え制御することが好ましい。
【０１１０】
本態様によれば、二次電池の電池残量に予測した発電量を加えた電池供給量が、運動情報に基づいて算出された電力消費量よりも上回る場合、測定部の動作モードを第２モードから第１モードに切り替える。これにより、電池供給量が十分にあると判定した場合の、測定部の計測をより細密に行うことができる。
【０１１１】
［態様５］上記態様に記載の携帯型電子機器において、前記体動センサーは、測位衛星信号受信器、気圧センサー、方位センサー、および加速度センサーを含み、前記生体センサーは、脈センサーを含み、前記プロセッサーは、前記動作モードにおいて、前記気圧センサーおよび前記方位センサー、前記測位衛星信号受信器、前記脈センサー、前記加速度センサーの順に動作を制御することが好ましい。
【０１１２】
本態様によれば、使用頻度の少ないセンサーから順次動作を制御するため、電力消費量の削減と、より効率的な計測とを実現することができる。
【０１１３】
［態様６］本態様に係る携帯型電子機器の制御方法は、複数のセンサーを有する測定部と、プロセッサーと、それらに電力を供給する二次電池と、前記二次電池に電力を供給する太陽電池と、を備えた携帯型電子機器の制御方法であって、前記ユーザーが実施する予定の運動情報を取得する工程と、前記運動情報に基づいて、前記測定部の電力消費量を算出する工程と、前記二次電池の残量を取得する工程と、前記運動情報に基づいて前記太陽電池の発電量を予測する工程と、前記発電量、前記二次電池の残量、および前記電力消費量に基づいて、前記測定部の動作モードを選択する工程と、を含むことを特徴とする。
【０１１４】
本態様によれば、二次電池の残量および運動情報に基づいて予測した太陽電池の発電量と、運動情報に基づいて算出した測定部（複数のセンサー）の電力消費量とに基づいて、ワークアウト開始から終了までの期間における測定部の計測が可能な動作モードとすることができる。これにより、例えば登山中や運動中に、電池切れによって計測不能となってしまう虞を減少させることができる。
【０１１５】
［態様７］上記態様に記載の携帯型電子機器の制御方法において、前記動作モードを選択する工程は、運動開始前、または運動開始後に設けられることが好ましい。
【０１１６】
本態様によれば、その時点における電池残量や太陽電池による発電量に基づいて、動作モードを見直すことができる。これにより、実態に即した動作モードとすることができ、電池切れの虞を減少させたり、体動センサーおよび生体センサーの計測を有効的に行ったりすることができる。
【０１１７】
［態様８］上記態様に記載の携帯型電子機器の制御方法において、前記動作モードは、前記測定部が第１の頻度で測定する第１モードと、前記第１の頻度よりも低い第２の頻度で、あるいは前記第１モードよりも少ないセンサー数で測定する第２モードと、を含み、前記二次電池の電池残量に予測した前記発電量を加えた電池供給量が、前記運動情報に基づいて算出された前記電力消費量よりも小さい場合、前記測定部の前記動作モードを前記第２モードにする工程を、含むことが好ましい。
【０１１８】
本態様によれば、二次電池の電池残量に予測した発電量を加えた電池供給量が、運動情報に基づいて算出された電力消費量よりも小さい場合、測定部の動作モードを、第１の頻度よりも低い第２の頻度で、あるいは前記第１モードよりも少ないセンサー数で測定する第２モードにするため、電力消費量を少なくすることができる。これにより、電池寿命を長くすることができ、電池切れの虞を減少させることができる。
【符号の説明】
【０１１９】
１０…バンド部、１２…嵌合穴、１４…尾錠、１５…尾錠枠、１６…係止部、１８…機器本体、２１…第１ハウジング、２２…第２ハウジング、３０…ハウジング、３５…モジュール基板、４０…脈センサーとしての光センサー、４１…回路基板、５０…表示部、５５…加速度センサー、５６…方位センサー、５７…圧力センサー（気圧センサー）、６０…二次電池、６５…衛星アンテナ、６６…信号処理部、６８…衛星情報取得部、６９…位置算出部、７０…太陽電池、８０…通信部、９０…プロセッサー、１００…測定部、１１０…計時部、１３０…操作部、１４０…受光部、１５０…発光部、１６０…測位衛星信号受信器、１７０…体動センサー、１８０…記憶部、１９０…発電制御回路、２００…携帯型電子機器としてのウェアラブル機器。
【図１】
2019150342.tif 000003
【図２】
2019150342.tif 000004
【図３】
2019150342.tif 000005
【図４】
2019150342.tif 000006
【図５】
2019150342.tif 000007
【図６】
2019150342.tif 000008
【図７】
2019150342.tif 000009
【図８】
2019150342.tif 000010
【図９】
2019150342.tif 000011